(57)【要約】【課題】開閉方向を切り替え可能な障子の開閉方向を判断し易くし、障子の各開閉方向への開閉操作を容易に行う。【解決手段】建具１Ａは、枠体２と、枠体２に対して開閉方向を切り替え可能に連結された障子３を備える。切替部材４により、障子３の開閉方向の切り替えを操作する。切替機構５は、切替部材４により操作されて、障子３の開閉方向を切り替える。操作部材６により、切替機構５により切り替えられる各開閉方向への障子３の開閉を操作する。ロック機構７は、枠体２に障子３をロックするとともに、操作部材６により操作されて、障子３のロックを解除する。切替部材４と操作部材６は、それぞれ別個の部材により構成されている。【選択図】  図３
2020100957.tif 000002
【特許請求の範囲】
【請求項１】
枠体と、前記枠体に対して開閉方向を切り替え可能に連結された障子と、を備えた建具であって、
前記障子の開閉方向の切り替えを操作する切替部材と、
前記切替部材により操作されて、前記障子の開閉方向を切り替える切替機構と、
前記切替機構により切り替えられる各開閉方向への前記障子の開閉を操作する操作部材と、
前記枠体に前記障子をロックするとともに、前記操作部材により操作されて、前記障子のロックを解除するロック機構と、
を備え、
前記切替部材と前記操作部材は、それぞれ別個の部材により構成されていることを特徴とする建具。
【請求項２】
請求項１に記載された建具において、
前記切替機構と前記ロック機構は、前記障子の同じ框材において並置される建具。
【請求項３】
請求項１又は２に記載された建具において、
前記切替部材と前記操作部材は、前記障子の同じ框材に設けられた建具。
【請求項４】
請求項１に記載された建具において、
前記切替機構と前記ロック機構は、前記障子の互いに異なる框材に設けられた建具。
【請求項５】
請求項１ないし４のいずれかに記載された建具において、
前記ロック機構は、ラッチ装置であり、前記枠体に設けられるラッチ受けと、前記障子に設けられて前記ラッチ受けに係合するラッチと、前記操作部材による操作に連動して、前記ラッチと前記ラッチ受けの係合を解除する連動機構と、を有する建具。
【請求項６】
請求項５に記載された建具において、
前記連動機構は、前記操作部材による操作に連動してスライドするスライド部材と、前記ラッチの移動と連動して変位する変位部材と、を有し、
前記スライド部材がスライドして前記変位部材を変位させ、前記変位部材が前記ラッチを前記ラッチ受けとの係合を解除する位置に移動させる建具。
【発明の詳細な説明】
【技術分野】
【０００１】
本発明は、開閉方向を切り替え可能な障子を備えた建具に関する。
【背景技術】
【０００２】
障子を複数の開閉方向に開閉する建具として、ドレーキップ窓が知られている。ドレーキップ窓では、障子の開閉方向が切り替えられて、障子が内開きと内倒しの２つの開き方で開く。また、従来、１つのハンドルを用いて障子の開閉方向の切り替えと障子の開閉を行う建具が知られている（特許文献１参照）。
【０００３】
特許文献１に記載された従来の建具では、ハンドルは、１８０度回動して、３つの方向（下方向（０度方向）、横方向（９０度方向）、上方向（１８０度方向））に配置される。ハンドルを下方向に配置したときに、障子が施錠される。また、ハンドルを横方向に配置したときに、障子の内開きが可能となり、ハンドルを上方向に配置したときに、障子の内倒しが可能となる。
【０００４】
このように、従来の建具では、障子を操作するためにハンドルを３つの方向に回動させ、異なる方向に配置されたハンドルを用いて障子を各開閉方向に開閉する。そのため、ハンドルの操作が煩雑になり、ハンドルの操作性に影響が生じる虞がある。特に、ハンドルを上方向に配置したときには、ハンドルの位置が高くなるため、ハンドルにより障子を開閉し難くなる。また、ハンドルの方向に基づいて障子の開閉方向を判断する必要があり、障子の開閉方向を容易に判断できない虞がある。なお、キップドレー窓では、ハンドルを横方向に配置したときに、障子の内倒しが可能となり、ハンドルを上方向に配置したときに、障子の内開きが可能となる。その結果、ハンドルの方向と障子の開閉方向が一致せず、障子の開閉方向がより判断し難くなる。
【先行技術文献】
【特許文献】
【０００５】
【特許文献１】特開２０１４−１４５２０２号公報
【発明の概要】
【発明が解決しようとする課題】
【０００６】
本発明は、前記従来の問題に鑑みなされたもので、その目的は、開閉方向を切り替え可能な障子の開閉方向を判断し易くし、障子の各開閉方向への開閉操作を容易に行うことである。
【課題を解決するための手段】
【０００７】
本発明は、枠体と、前記枠体に対して開閉方向を切り替え可能に連結された障子と、を備えた建具である。建具は、前記障子の開閉方向の切り替えを操作する切替部材と、前記切替部材により操作されて、前記障子の開閉方向を切り替える切替機構と、前記切替機構により切り替えられる各開閉方向への前記障子の開閉を操作する操作部材と、前記枠体に前記障子をロックするとともに、前記操作部材により操作されて、前記障子のロックを解除するロック機構と、を備える。前記切替部材と前記操作部材は、それぞれ別個の部材により構成されている。
【発明の効果】
【０００８】
本発明によれば、開閉方向を切り替え可能な障子の開閉方向を判断し易くでき、障子の各開閉方向への開閉操作を容易に行うことができる。
【図面の簡単な説明】
【０００９】
【図１】第１実施形態の建具の斜視図である。
【図２】第１実施形態の建具の斜視図である。
【図３】第１実施形態の建具の構造を示す正面図である。
【図４】図３の矢印Ｘ１方向からみた建具の構造を示す側面図である。
【図５】図３の矢印Ｘ２方向からみた建具の構造を示す平面図である。
【図６】第１実施形態の操作部材とロック機構を示す正面図である。
【図７】枠体、框体、及び、ロック機構の断面図である。
【図８】枠体、框体、及び、ロック機構の断面図である。
【図９】框体に設けられるロック機構と操作部材を示す斜視図である。
【図１０】框体に設けられるロック機構と操作部材を示す斜視図である。
【図１１】第２框材に設けられた操作部材とスライド部材を示す図である
【図１２】操作部材とスライド部材の動作を示す図である。
【図１３】第１框材に設けられた変位部材を示す図である。
【図１４】変位部材とラッチの動作を示す図である。
【図１５】第１実施形態の切替部材と切替機構を示す正面図である。
【図１６】切替部材と切替機構を示す斜視図である。
【図１７】切替部材と切替機構を示す斜視図である。
【図１８】切替部材と切替機構の動作を示す図である。
【図１９】切替部材と切替機構の動作を示す図である。
【図２０】障子を開いたときの切替機構と第２ヒンジ機構を示す斜視図である。
【図２１】障子を開いたときの切替機構と第２ヒンジ機構を示す斜視図である。
【図２２】障子の開閉方向が第１開閉方向であるときの切替機構と第２ヒンジ機構を示す図である。
【図２３】障子の開閉方向が第１開閉方向であるときの切替機構と第２ヒンジ機構を示す図である。
【図２４】障子の開閉方向が第１開閉方向であるときの切替機構と第２ヒンジ機構を示す図である。
【図２５】障子の開閉方向が第２開閉方向であるときの切替機構と第２ヒンジ機構を示す図である。
【図２６】障子の開閉方向が第２開閉方向であるときの切替機構と第２ヒンジ機構を示す図である。
【図２７】障子の開閉方向が第２開閉方向であるときの切替機構と第２ヒンジ機構を示す図である。
【図２８】第２実施形態の建具の構造を示す正面図である。
【図２９】切替部材と切替機構を示す斜視図である。
【図３０】切替部材と切替機構を示す斜視図である。
【図３１】切替機構の支持体側の一部を示す正面図である。
【図３２】障子の開閉方向が第１開閉方向であるときの切替機構と第２ヒンジ機構を示す図である。
【図３３】障子の開閉方向が第１開閉方向であるときの切替機構と第２ヒンジ機構を示す図である。
【図３４】障子の開閉方向が第２開閉方向であるときの切替機構と第２ヒンジ機構を示す図である。
【図３５】障子の開閉方向が第２開閉方向であるときの切替機構と第２ヒンジ機構を示す図である。
【発明を実施するための形態】
【００１０】
本発明の建具の一実施形態について、図面を参照して説明する。
本実施形態の建具は、障子を複数の開閉方向に開閉させる開閉窓である。以下では、ドレーキップ窓（内倒し・内開き窓）を例にとり、建具の２つの実施形態について説明する。
【００１１】
（第１実施形態）
図１、図２は、第１実施形態の建具１Ａ（ドレーキップ窓）の斜視図であり、室内側からみた建具１Ａの概略構成を模式的に示している。図１は、内倒し状態の建具１Ａを示し、図２は、内開き状態の建具１Ａを示している。
図示のように、建具１Ａは、建築物の開口部に設置される枠体２と、枠体２に開閉可能に取り付けられた障子３を備えている。障子３により、枠体２の開口部１０が開閉される。
【００１２】
枠体２は、方形状の開口枠（窓枠）であり、建築物の開口部を囲む縁部（開口縁部）に取り付けられる。また、枠体２は、枠組みされた４つの長尺な枠材１１〜１４（第１枠材１１、第２枠材１２、第３枠材１３、第４枠材１４）を有し、枠材１１〜１４により、開口部１０を形成する。第１枠材１１は上枠材であり、第２枠材１２は一方の縦枠材である。第３枠材１３は下枠材であり、第４枠材１４は他方の縦枠材である。
【００１３】
障子３は、方形状の開閉体（内倒し・内開き障子）であり、複数の框材が設けられた框体２０と、框体２０に取り付けられたパネル体２５を有する。框体２０は、枠組みされた４つの長尺な框材２１〜２４（第１框材２１、第２框材２２、第３框材２３、第４框材２４）を有し、パネル体２５の縁部に沿って配置される。框体２０は、框材２１〜２４により、開口部２６を形成する。框材２１〜２４の端部同士が接続された状態で、框材２１〜２４は、互いに異なる障子３の縁部３Ａ〜３Ｄ（第１縁部３Ａ、第２縁部３Ｂ、第３縁部３Ｃ、第４縁部３Ｄ）に配置される。パネル体２５は、例えば、複数のガラス板を有する複層ガラスであり、框体２０の開口部２６に配置されて、框体２０により保持される。第１框材２１は上框材であり、第２框材２２は一方の縦框材である。第３框材２３は下框材であり、第４框材２４は他方の縦框材である。また、４つの框材２１〜２４は、互いに異なる枠体２の枠材１１〜１４に沿って配置される。
【００１４】
障子３は、枠体２に対して開閉方向を切り替え可能に連結され、ここでは、２つの開閉方向（第１開閉方向Ｍ１、第２開閉方向Ｍ２）に開閉可能になっている。第１開閉方向Ｍ１は、内倒し時における障子３の開閉方向であり、第２開閉方向Ｍ２は、内開き時における障子３の開閉方向である。各開閉方向Ｍ１、Ｍ２への開閉時に、障子３は、枠体２に回動可能に支持され、開方向Ｈ１、Ｈ２と閉方向Ｔ１、Ｔ２に移動（回動）して開閉する。障子３の開方向Ｈ１、Ｈ２は、枠体２に対して障子３が開くときの障子３の移動方向（回動方向）であり、障子３の閉方向Ｔ１、Ｔ２は、枠体２に対して障子３が閉じるときの障子３の移動方向である。障子３は、枠体２の開口部１０を閉鎖する閉位置Ｖと枠体２の開口部１０を開放する開位置Ｗ１、Ｗ２とに移動して開閉する。
【００１５】
第１開閉方向Ｍ１への開閉時には（図１参照）、第３框材２３が枠体２に保持された状態で、第１框材２１が、第３框材２３を中心に、第１開方向Ｈ１と第１閉方向Ｔ１に移動する。これにより、障子３は、第１開方向Ｈ１に移動（回動）して、室内側に倒れるように開く。障子３は、第１開位置Ｗ１に移動して、内倒し状態（第１開状態）に配置される。また、障子３は、第１閉方向Ｔ１に移動して、枠体２側に起きるように閉じる。障子３は、閉位置Ｖに移動して、閉鎖状態に配置される。
【００１６】
第２開閉方向Ｍ２への開閉時には（図２参照）、第４框材２４が枠体２に保持された状態で、第２框材２２が、第４框材２４を中心に、第２開方向Ｈ２と第２閉方向Ｔ２に移動する。これにより、障子３は、第２開方向Ｈ２に移動して、室内側に開く。障子３は、第２開位置Ｗ２に移動して、内開き状態（第２開状態）に配置される。また、障子３は、第２閉方向Ｔ２に移動して閉じる。障子３は、閉位置Ｖに移動して、閉鎖状態に配置される。
【００１７】
図３は、第１実施形態の建具１Ａの構造を示す正面図であり、室内側からみた建具１Ａを示している。図３では、框体２０の一部を二点鎖線で模式的に示し、建具１Ａの内部構造を示している。図４は、図３の矢印Ｘ１方向からみた建具１Ａの構造を示す側面図である。図４では、第１枠材１１、第３枠材１３、第１框材２１、及び、第３框材２３の断面を二点鎖線で示している。図５は、図３の矢印Ｘ２方向からみた建具１Ａの構造を示す平面図である。図５では、第２枠材１２、第４枠材１４、第２框材２２、及び、第４框材２４の断面を二点鎖線で示している。
【００１８】
図示のように、建具１Ａは、障子３の開閉方向Ｍ１、Ｍ２の切り替えを操作する切替部材４と、障子３を開閉方向Ｍ１、Ｍ２に開閉する開閉機構４０と、障子３の開閉方向Ｍ１、Ｍ２を切り替える切替機構５と、障子３の開閉を操作する操作部材６と、枠体２に障子３をロックするロック機構７を備えている。切替部材４と操作部材６は、互いに独立して操作される別個の部材であり、障子３に設けられている。切替部材４は、障子３の開閉方向Ｍ１、Ｍ２の切り替え操作に用いられる切替操作部材であり、切替機構５に連結されている。開閉機構４０は、第１ヒンジ機構８と第２ヒンジ機構９を有し、障子３を複数の開閉方向Ｍ１、Ｍ２に開閉可能に枠体２に連結する。操作部材６は、ロック機構７の操作を含む障子３の開閉操作に用いられる開閉操作部材であり、ロック機構７に連結されている。
【００１９】
切替機構５とロック機構７は、互いに独立して作動する別個の機構である。障子３の開閉方向Ｍ１、Ｍ２の切り替え時に、切替部材４が操作されて、切替機構５が作動する。切替機構５は、切替部材４により操作されて、障子３の開閉方向Ｍ１、Ｍ２を切り替える。障子３の開閉時には、操作部材６が操作されて、ロック機構７が作動する。障子３を開くときに、ロック機構７は、操作部材６により操作されて、障子３の枠体２へのロックを解除する。操作部材６により、切替機構５により切り替えられる各開閉方向Ｍ１、Ｍ２（図１、図２参照）への障子３の開閉が操作される。
【００２０】
第１ヒンジ機構８（図３参照）は、障子３の一方の下コーナー部（第３框材２３の一端部）を回動可能に支持する下ヒンジ機構（下支持機構）であり、障子３の一方の下コーナー部を枠体２の第３枠材１３に連結する。第１ヒンジ機構８は、ドレーキップ窓用の周知のヒンジ機構であり、障子３の框体２０に取り付けられた取付部材８Ａと、枠体２の第３枠材１３に固定されたベース部材８Ｂと、複数のリンク部材８Ｃを有する。取付部材８Ａ、ベース部材８Ｂ、及び、複数のリンク部材８Ｃは、各連結部で回動可能に連結されて、障子３を第１開閉方向Ｍ１と第２開閉方向Ｍ２に回動可能に支持する。
【００２１】
第２ヒンジ機構９（図３参照）は、障子３の一方の上コーナー部（第１框材２１の一端部）を回動可能に支持する上ヒンジ機構（上支持機構）であり、障子３の一方の上コーナー部を枠体２の第１枠材１１に連結する。障子３の一方の上コーナー部は、第２ヒンジ機構９により、第２開閉方向Ｍ２に回動可能に支持される。障子３の第２開閉方向Ｍ２への開閉時（内開き時）（図２参照）に、第２ヒンジ機構９は、第４框材２４を室内側に移動させつつ、障子３を室内側（第２開方向Ｈ２）と枠体２側（第２閉方向Ｔ２）に回動させる。第１ヒンジ機構８と第２ヒンジ機構９により、障子３は、第２開閉方向Ｍ２に開閉可能に支持される。障子３の第１開閉方向Ｍ１への開閉時（内倒し時）（図１参照）には、第２ヒンジ機構９は、障子３の支持を解除して、障子３の開き角度（倒れ角度）を規制する。
【００２２】
切替部材４と操作部材６は、障子３の框体２０において同じ框材に設けられ、同じ框材の長手方向に互いに離間して配置される。切替機構５とロック機構７は、障子３の框体２０の同じ框材において並置されて、同じ框材の長手方向に沿って配置される。ここでは、切替部材４と操作部材６は、第２框材２２に設けられて、上下に並べて配置される。また、切替機構５とロック機構７は、第１框材２１と第２框材２２において並置される。
【００２３】
図６は、第１実施形態の操作部材６とロック機構７を示す正面図であり、図３の一部を拡大して示している。図６では、切替部材４と切替機構５を省略する。
図示のように、障子３には、第１框材２１と第２框材２２を含む框体２０が設けられる。第１框材２１は、障子３の第１縁部３Ａ（上縁部）に配置され、第２框材２２は、障子３の第２縁部３Ｂ（一方の縦縁部）に配置される。
【００２４】
建具１Ａでは、ロック機構７は、ラッチ装置３０であり、第１框材２１、第２框材２２、及び、枠体２に設けられる。ラッチ装置３０は、ロック機構７の一例であり、障子３を枠体２に連結して、障子３を枠体２にロックする。また、ロック機構７（ラッチ装置３０）は、障子３を閉じた状態に維持するとともに、障子３を開くときに、操作部材６によるロックの解除操作に連動して、障子３の枠体２へのロックを解除する。
【００２５】
ロック機構７は、障子３に移動可能に設けられたラッチ３１と、ラッチ３１を受けるラッチ受け３２と、框体２０に設けられて操作部材６とラッチ３１を連動させる連動機構３３を有する。ラッチ３１は、障子３の第１框材２１に設けられる。ラッチ受け３２は、枠体２において、第１框材２１に並列する第１枠材１１に設けられて、ラッチ３１に対向する位置に配置される。連動機構３３は、第１框材２１と第２框材２２に設けられて、第１框材２１と第２框材２２の長手方向に沿って配置される。
【００２６】
図７、図８は、枠体２、框体２０、及び、ロック機構７（ラッチ装置３０）の断面図であり、図６のＸ３−Ｘ３線で切断した建具１Ａを示している。図７は、枠体２に障子３をロックした状態を示し、図８は、障子３のロックを解除した状態を示す。
図示のように、ラッチ３１は、ラッチ受け３２に向かって突出する係合部材であり、ラッチ受け３２は、ラッチ３１と係合してラッチ３１を保持する保持部材である。障子３が閉じた状態で、ラッチ３１とラッチ受け３２が対向して配置されて、ラッチ３１がラッチ受け３２に接近する方向とラッチ受け３２から離間する方向に移動する。
【００２７】
ラッチ３１は、ラッチ受け３２に係合する係合位置Ｋ１（図７参照）と、ラッチ受け３２との係合を解除する非係合位置Ｋ２（係合解除位置）（図８参照）に移動して、係合位置Ｋ１と非係合位置Ｋ２に配置される。係合位置Ｋ１において、ラッチ３１は、框体２０の第１框材２１を枠体２の第１枠材１１に連結して、障子３をロックする。非係合位置Ｋ２において、ラッチ３１は、第１框材２１の第１枠材１１への連結を解除して、障子３のロックを解除する。これにより、框体２０の第１框材２１が枠体２の第１枠材１１から解放されて、障子３の開方向Ｈ１、Ｈ２への移動が可能になる。
【００２８】
ラッチ３１は、ロック機構７の付勢手段３４により、係合位置Ｋ１に向かって付勢されている。付勢手段３４は、付勢部材３４Ａと、付勢部材３４Ａを保持する保持ピン３４Ｂを有し、付勢部材３４Ａにより、ラッチ３１を常に付勢する。付勢部材３４Ａは、弾性部材（例えば、ばね、ゴム）であり、ラッチ３１に形成された凹部３１Ａ内に配置される。ここでは、付勢部材３４Ａは、コイル状のばね（圧縮コイルばね）であり、保持ピン３４Ｂの周囲に配置される。
【００２９】
ラッチ３１が係合位置Ｋ１から非係合位置Ｋ２に移動するときに、付勢部材３４Ａが圧縮されて、付勢部材３４Ａと保持ピン３４Ｂがラッチ３１の凹部３１Ａ内に収容される。付勢手段３４（付勢部材３４Ａ）の付勢により、ラッチ３１は、非係合位置Ｋ２から係合位置Ｋ１に移動して、係合位置Ｋ１に配置される。
【００３０】
ラッチ受け３２は、ラッチ３１に向かって突出する突出部３２Ａを有し、取付手段（ここでは、ねじ）により、枠体２の第１枠材１１に取り付けられる。障子３が閉じた状態で、ラッチ受け３２は、ラッチ３１の上方に配置される。また、ラッチ３１は、係合位置Ｋ１に配置されて、ラッチ受け３２の突出部３２Ａに引っ掛かる。これにより、ラッチ３１は、ラッチ受け３２に係合して、障子３を閉じた状態に維持する。
【００３１】
障子３を開くときには、ラッチ３１は、係合位置Ｋ１から非係合位置Ｋ２に移動して、ラッチ受け３２から外れる。その状態で、障子３が開方向Ｈ１、Ｈ２に移動して、障子３が開く。障子３の移動が開始した後、ラッチ３１は、付勢手段３４の付勢により、非係合位置Ｋ２から係合位置Ｋ１に移動する。障子３を閉じるときには、障子３が閉方向Ｔ１、Ｔ２に移動して、係合位置Ｋ１のラッチ３１がラッチ受け３２に接触する。その際、ラッチ３１の傾斜部３１Ｂがラッチ受け３２の突出部３２Ａに接触する。
【００３２】
ラッチ３１の傾斜部３１Ｂは、障子３の閉方向Ｔ１、Ｔ２、及び、付勢手段３４によるラッチ３１の付勢方向に対して傾斜する。障子３が閉じられるのに伴い、ラッチ３１の傾斜部３１Ｂがラッチ受け３２の突出部３２Ａにより押されて、ラッチ３１が係合位置Ｋ１から非係合位置Ｋ２に向かって移動する。障子３が閉じられたときに、ラッチ３１は、ラッチ受け３２に係合可能な位置まで移動して、ラッチ受け３２の突出部３２Ａから外れる。同時に、付勢手段３４の付勢により、ラッチ３１は、係合位置Ｋ１に移動して、ラッチ受け３２に係合する。
【００３３】
図９、図１０は、框体２０に設けられるロック機構７と操作部材６を示す斜視図である。図９は、ラッチ３１が係合位置Ｋ１に配置された状態を示し、図１０は、ラッチ３１が非係合位置Ｋ２に配置された状態を示す。
図示のように、ロック機構７の連動機構３３は、操作部材６の移動をラッチ３１に伝達してラッチ３１を移動させる伝達機構である。操作部材６とラッチ３１は、互いに異なる障子３の框材（第１框材２１、第２框材２２）に設けられて、連動機構３３により連動して移動する。また、操作部材６により、ラッチ３１の移動が操作される。操作部材６は、移動に伴い、連動機構３３を作動させて、ラッチ３１を非係合位置Ｋ２に移動させる。連動機構３３は、操作部材６による操作（係合の解除操作）に連動して、ラッチ３１とラッチ受け３２の係合を解除する。
【００３４】
連動機構３３は、操作部材６による操作に連動してスライドするスライド部材３５と、ラッチ３１の移動と連動して変位する変位部材３６と、変位部材３６をガイドするガイド部材３７を有する。スライド部材３５は、細長いロッド状部材であり、第２框材２２の長手方向に沿って配置される。スライド部材３５の一端部は、操作部材６に連結される連結部３５Ａであり、スライド部材３５の他端部は、変位部材３６に接触する接触部３５Ｂである。スライド部材３５は、第２框材２２にスライド可能に配置されて、操作部材６の移動に伴い、第２框材２２の長手方向にスライドする（矢印Ｓ参照）。
【００３５】
図１１は、第２框材２２に設けられた操作部材６とスライド部材３５を示す図であり、図９のＸ４−Ｘ４線で切断したスライド部材３５と第２框材２２を示している。
図示のように、第２框材２２は、枠体２の第２枠材１２に対向する部分に形成されたガイド溝２２Ａを有する。ガイド溝２２Ａは、第２框材２２の長手方向に連続して形成されて、スライド部材３５を収容する。スライド部材３５は、ガイド溝２２Ａによりガイドされて、ガイド溝２２Ａに沿ってスライドする。
【００３６】
操作部材６は、第２框材２２に移動可能に連結されるとともに、連結ピン３５Ｃにより、スライド部材３５に回動可能に連結される。また、操作部材６は、第２框材２２とスライド部材３５に回動可能に連結される回動部６Ａを有する。回動部６Ａは、第２框材２２に形成された開口部を貫通する連結突部であり、連結ピン３５Ｃにより、スライド部材３５の連結部３５Ａに連結される。スライド部材３５は、ガイド溝２２Ａ内で、操作部材６の移動と連動してスライドする。
【００３７】
図１２は、操作部材６とスライド部材３５の動作を示す図であり、図９、図１０の矢印Ｘ５方向からみた操作部材６とロック機構７を示している。
図示のように、操作部材６は、回動可能な操作レバーであり、ラッチ３１と障子３の操作時に把持される把持部６Ｂを有する。操作部材６の回動部６Ａは、把持部６Ｂからスライド部材３５に向かって突出し、把持部６Ｂとスライド部材３５の連結部３５Ａ（連結ピン３５Ｃ）の間の中間位置で、支持部材２７に取り付けられる。支持部材２７は、第２框材２２に固定されて、支持軸２７Ａにより、操作部材６の回動部６Ａを回動可能に支持する。
【００３８】
操作部材６は、支持軸２７Ａを中心に回動して、第１位置Ｐ１（図１２Ａ参照）と第２位置Ｐ２（図１２Ｂ参照）とに移動する（矢印Ｇ参照）。第１位置Ｐ１は、ラッチ３１が係合位置Ｋ１に配置されて障子３がロックされる第１操作位置（ロック位置）であり、第２位置Ｐ２は、ラッチ３１が非係合位置Ｋ２に配置されて障子３のロックが解除される第２操作位置（非ロック位置）である。障子３を開くときに、把持部６Ｂを移動させて、操作部材６を第１位置Ｐ１から第２位置Ｐ２に移動させる。連動機構３３は、操作部材６の第１位置Ｐ１から第２位置Ｐ２への移動に連動して、ラッチ３１を係合位置Ｋ１から非係合位置Ｋ２に移動させる。
【００３９】
操作部材６の把持部６Ｂは、操作部材６の第１位置Ｐ１から第２位置Ｐ２への移動時に、障子３の開方向Ｈ１、Ｈ２に向かって移動し、操作部材６の第２位置Ｐ２から第１位置Ｐ１への移動時に、障子３の閉方向Ｔ１、Ｔ２に向かって移動する。把持部６Ｂの移動と同時に、操作部材６の回動部６Ａが回動する。
【００４０】
第１位置Ｐ１から第２位置Ｐ２への移動に伴い、操作部材６は、回動する回動部６Ａにより、連結ピン３５Ｃ及びスライド部材３５の連結部３５Ａを変位部材３６に向かって押す。操作部材６から受ける力により、スライド部材３５は、変位部材３６に向かって上方にスライドして、変位部材３６に接触する。また、スライド部材３５は、接触部３５Ｂで変位部材３６を押して、変位部材３６を変位させる。
【００４１】
操作部材６は、付勢手段（例えば、ねじりコイルばね）により、第１位置Ｐ１に向かって付勢されている。付勢手段の付勢により、操作部材６は、第２位置Ｐ２から第１位置Ｐ１に移動して、第１位置Ｐ１に配置される。第２位置Ｐ２から第１位置Ｐ１への移動に伴い、操作部材６は、回動する回動部６Ａにより、連結ピン３５Ｃ及びスライド部材３５の連結部３５Ａを引っ張る。操作部材６から受ける力により、スライド部材３５は、下方に向かって引っ張られて下方にスライドし、変位部材３６から離間する。また、重力により、スライド部材３５の下方へのスライドが補助される。
【００４２】
変位部材３６（図９、図１０参照）は、第１框材２１に変位可能に連結され、スライド部材３５のスライドに連動して変位する（矢印Ｒ参照）。また、変位部材３６は、細長いロッド状部材であり、第１框材２１の長手方向に沿って配置される。変位部材３６の一端部は、ラッチ３１が設けられたラッチ部３６Ａであり、ラッチ３１と一体に移動する。変位部材３６の他端部は、スライド部材３５に接触する接触部３６Ｂである。スライド部材３５の接触部３５Ｂと変位部材３６の接触部３６Ｂが接触して、スライド部材３５と変位部材３６が連動する。
【００４３】
変位部材３６は、ラッチ部３６Ａと接触部３６Ｂの間に位置する回動軸３６Ｃを有し、回動軸３６Ｃを中心に回動（揺動）して変位する。従って、変位部材３６は、回動部材（揺動部材）である。変位部材３６の回動変位により、ラッチ部３６Ａと接触部３６Ｂが変位部材３６の変位方向（回動方向）に移動する。
【００４４】
図１３は、第１框材２１に設けられた変位部材３６を示す図であり、図９の矢印Ｘ６−Ｘ６線で切断した変位部材３６と第１框材２１を示している。
図示のように、第１框材２１は、枠体２の第１枠材１１に対向する部分に形成された収容溝２１Ａを有する。収容溝２１Ａは、第１框材２１の長手方向に連続して形成されて、変位部材３６を収容する。変位部材３６の回動軸３６Ｃは、軸受部材３６Ｄに回動可能に支持される。軸受部材３６Ｄは、収容溝２１Ａ内に配置されて、第１框材２１に固定される。変位部材３６は、収容溝２１Ａ内で回動により変位して、ラッチ３１を移動させる。
【００４５】
図１４は、変位部材３６とラッチ３１の動作を示す図であり、図９、図１０の矢印Ｘ７方向からみたロック機構７を示している。また、図１４は、スライド部材３５の接触部３５Ｂ側の一部を示している。
図示のように、ガイド部材３７は、第１框材２１に設けられて、変位部材３６のラッチ部３６Ａ及びラッチ３１に隣接する。ガイド部材３７は、変位部材３６に向かって開口するガイド溝３７Ａを有し、変位部材３６は、ガイド溝３７Ａ内に配置された突起３６Ｅを有する。ガイド部材３７は、ガイド溝３７Ａにより、ラッチ部３６Ａに形成された突起３６Ｅ及び変位部材３６を変位部材３６の変位方向にガイドする。
【００４６】
変位部材３６は、接触部３６Ｂに形成された突片３６Ｆを有する。突片３６Ｆは、スライド部材３５の接触部３５Ｂをガイド可能なガイド部であり、接触部３６Ｂからスライド部材３５側に向かって突出する。突片３６Ｆは、スライド部材３５の接触部３５Ｂに隣接して配置される。突片３６Ｆにより、スライド部材３５の接触部３５Ｂは、変位部材３６の接触部３６Ｂに接触可能な位置に維持される。
【００４７】
変位部材３６の突片３６Ｆとスライド部材３５の接触部３５Ｂが対面する状態で、スライド部材３５がスライドして、スライド部材３５の接触部３５Ｂが突片３６Ｆに沿って移動する。スライド部材３５のスライド方向が突片３６Ｆ側にずれたときには、スライド部材３５の接触部３５Ｂが突片３６Ｆに接触することがある。この場合には、スライド部材３５の接触部３５Ｂは、突片３６Ｆにより、変位部材３６の接触部３６Ｂにガイドされて、変位部材３６の接触部３６Ｂに接触する。
【００４８】
操作部材６が第１位置Ｐ１から第２位置Ｐ２に移動するときに、スライド部材３５がスライドして変位部材３６を変位させ、変位部材３６がラッチ３１を係合位置Ｋ１からラッチ受け３２との係合を解除する非係合位置Ｋ２に移動させる。その際、スライド部材３５のスライドに伴い、スライド部材３５の接触部３５Ｂが変位部材３６の接触部３６Ｂに接触する。
【００４９】
変位部材３６の接触部３６Ｂは、スライド部材３５の接触部３５Ｂにより、スライド部材３５のスライド方向（ここでは、上方）に押されて、スライド方向に移動する。これにより、変位部材３６が回動して変位し、変位部材３６のラッチ部３６Ａがスライド方向の反対方向（ここでは、下方）に移動する。変位部材３６は、ラッチ部３６Ａとともにラッチ３１を変位方向に移動させることで、ラッチ３１を係合位置Ｋ１から非係合位置Ｋ２に移動させる。
【００５０】
操作部材６が第２位置Ｐ２から第１位置Ｐ１に移動するときには、スライド部材３５が下方にスライドして変位部材３６から離間する。同時に、付勢手段３４の付勢により、ラッチ３１が、非係合位置Ｋ２から係合位置Ｋ１に移動する。また、変位部材３６が回動して変位し、変位部材３６の接触部３６Ｂが下方に移動する。操作部材６が第１位置Ｐ１に配置された状態で、スライド部材３５の接触部３５Ｂと変位部材３６の接触部３６Ｂは接触せず、２つの接触部３５Ｂ、３６Ｂの間に隙間３８が形成される。
【００５１】
切替機構５により障子３の開閉方向Ｍ１、Ｍ２が切り替えられた状態で、操作部材６を用いて、障子３を各開閉方向Ｍ１、Ｍ２において開閉する（図９、図１０参照）。障子３を開くときには、操作部材６の把持部６Ｂを障子３の開方向Ｈ１、Ｈ２に引っ張り、開方向Ｈ１、Ｈ２に向かって把持部６Ｂを移動させる。これに伴い、操作部材６が第１位置Ｐ１から第２位置Ｐ２に移動する。操作部材６の移動に連動して、連動機構３３がラッチ３１を非係合位置Ｋ２に移動させて、ラッチ３１とラッチ受け３２の係合が解除される。これにより、ラッチ３１がラッチ受け３２から外れて、障子３のロックが解除される。続いて、操作部材６の把持部６Ｂを障子３の開方向Ｈ１、Ｈ２に引っ張り、障子３を開位置Ｗ１、Ｗ２に移動させる。このとき、障子３の開き角度は、例えば、規制手段により所定の開き角度に規制できる。障子３の移動が開始した後、操作部材６が第２位置Ｐ２から第１位置Ｐ１に移動し、ラッチ３１が非係合位置Ｋ２から係合位置Ｋ１に移動する。
【００５２】
障子３を閉じるときには、操作部材６の把持部６Ｂを障子３の閉方向Ｔ１、Ｔ２（枠体２側）に押し、障子３を閉位置Ｖに移動させる。その際、ラッチ３１は、ラッチ受け３２により押されて、非係合位置Ｋ２に向かって移動する。障子３が閉じたときに、ラッチ３１が係合位置Ｋ１に移動してラッチ受け３２に係合し、ラッチ３１により、障子３が閉じられた状態でロックされる。
【００５３】
図１５は、第１実施形態の切替部材４と切替機構５を示す正面図であり、図３の一部を拡大して示している。図１５では、操作部材６とロック機構７を省略する。
図示のように、切替部材４は、切替機構５を操作する移動可能なつまみであり、かつ、障子３の開閉方向Ｍ１、Ｍ２を選択する選択部材である。開閉方向Ｍ１、Ｍ２の切り替え時には、障子３を閉じた状態で、切替部材４を用いて、切替機構５を作動させる。切替部材４は、第２框材２２の長手方向にスライドして移動する。
【００５４】
切替機構５は、第１框材２１、第２框材２２、及び、枠体２に設けられ、切替部材４の移動に連動して、障子３の開閉方向Ｍ１、Ｍ２を切り替える。また、切替機構５は、切替部材４に連動する連動部５０と、連動部５０に設けられた２つの突起４１、４２（連結突起４１、係止突起４２）と、枠体２の第３枠材１３に固定された支持体４３を有する。
【００５５】
切替部材４は、連動部５０に取り付けられる。連動部５０は、第１框材２１と第２框材２２に設けられて、第１框材２１と第２框材２２の長手方向に沿って配置される。また、連動部５０は、第２ヒンジ機構９から支持体４３まで配置される。連結突起４１は、第２ヒンジ機構９側に位置する連動部５０の一端部５０Ａに設けられ、係止突起４２は、支持体４３側に位置する連動部５０の他端部５０Ｂに設けられる。連動部５０、連結突起４１、及び、係止突起４２は、切替部材４の移動に連動して、一体に移動する。これにより、係止突起４２が支持体４３に係止される。また、係止突起４２と支持体４３の係止が解除される。
【００５６】
図１６、図１７は、切替部材４と切替機構５を示す斜視図である。図１６は、支持体４３に係止突起４２が係止された状態を示し、図１７は、係止突起４２と支持体４３の係止が解除された状態を示す。
図示のように、切替機構５の連動部５０は、第２框材２２にスライド可能に設けられた第１連動部材５１と、第１框材２１にスライド可能に設けられた第２連動部材５２と、障子３の上コーナー部（第１框材２１と第２框材２２のコーナー部）に設けられたコーナードライブ５３を有する。第１連動部材５１と第２連動部材５２は、細長いロッド状部材であり、切替部材４による操作に連動してスライドする。
【００５７】
第１連動部材５１は、第２框材２２の長手方向に沿って配置され、第２連動部材５２は、第１框材２１の長手方向に沿って配置される。コーナードライブ５３は、第１連動部材５１と第２連動部材５２を連結する連結機構であり、第１連動部材５１と第２連動部材５２の間に配置されている。また、コーナードライブ５３は、第１框材２１と第２框材２２に取り付けられた筒状のケース５３Ａと、ケース５３Ａ内で変形しつつスライドする帯状のスライド板５３Ｂを有する。
【００５８】
スライド板５３Ｂは、例えば、可撓性を有する金属薄板であり、コーナードライブ５３側に位置する第１連動部材５１の一端部５１Ａと第２連動部材５２の一端部５２Ａに取り付けられている。第１連動部材５１、第２連動部材５２、及び、スライド板５３Ｂは、一体に移動する。スライド板５３Ｂのスライドにより、コーナードライブ５３は、第１連動部材５１と第２連動部材５２を連動して移動させる（矢印Ｆ１、Ｆ２参照）。
【００５９】
係止突起４２は、第１連動部材５１に設けられた円盤状の突出部であり、連結突起４１は、第２連動部材５２に設けられたピン状の突出部である。係止突起４２は、支持体４３に対向する第１連動部材５１の他端部５１Ｂに設けられて、第１連動部材５１から支持体４３に向かって突出する。連結突起４１は、第２ヒンジ機構９に対向する第２連動部材５２の他端部５２Ｂに設けられて、第２連動部材５２から第２ヒンジ機構９に向かって突出する。
【００６０】
切替部材４は、第１連動部材５１に取り付けられて、第１連動部材５１と一体に移動する。切替部材４の移動（矢印Ｅ参照）に伴い、第１連動部材５１が第２框材２２の長手方向にスライドして移動し、係止突起４２が第１連動部材５１のスライド方向に移動する（矢印Ｆ１参照）。その際、切替部材４、第１連動部材５１、及び、係止突起４２は、第２框材２２の長手方向に沿って、同じ方向に移動する。同時に、第２連動部材５２が第１框材２１の長手方向にスライドして移動し、連結突起４１が第２連動部材５２のスライド方向に移動する（矢印Ｆ２参照）。
【００６１】
切替部材４を移動させることで、２つの連動部材５１、５２を含む連動部５０が切替部材４の移動に連動して移動し、連動部５０により、係止突起４２と連結突起４１が移動する。切替部材４の操作により、切替部材４は、第１切替位置Ｌ１（図１６参照）と第２切替位置Ｌ２（図１７参照）とに移動して、第１切替位置Ｌ１と第２切替位置Ｌ２に配置される。第１切替位置Ｌ１は、障子３を第１開閉方向Ｍ１に開閉させる位置であり、第２切替位置Ｌ２は、障子３を第２開閉方向Ｍ２に開閉させる位置である。
【００６２】
切替部材４の移動により、連結突起４１は、第２ヒンジ機構９を連結しない非連結位置Ｎ１（図１６参照）と、第２ヒンジ機構９を連結する連結位置Ｎ２（図１７参照）とに移動して、非連結位置Ｎ１と連結位置Ｎ２に配置される。同時に、係止突起４２は、支持体４３に係止される係止位置Ｑ１（図１６参照）と、支持体４３への係止を解除する非係止位置Ｑ２（係止解除位置）（図１７参照）とに移動して、係止位置Ｑ１と非係止位置Ｑ２に配置される。
【００６３】
支持体４３は、連動部５０側に開口する係止孔４４を有する。係止突起４２が非係止位置Ｑ２から係止位置Ｑ１に移動するときに、係止突起４２は、係止孔４４に挿入されて、係止孔４４内に配置される。支持体４３は、係止突起４２を係止孔４４内に係止して、係止突起４２及び連動部５０の他端部５０Ｂ（第１連動部材５１の他端部５１Ｂ）を保持する。係止突起４２が係止位置Ｑ１から非係止位置Ｑ２に移動するときに、係止突起４２が係止孔４４から引き出されて、係止突起４２の係止（保持）が解除される。
【００６４】
図１８、図１９は、切替部材４と切替機構５の動作を示す図である。図１８は、図１６、図１７の矢印Ｘ８方向からみた切替部材４と切替機構５を示し、図１９は、図１６、図１７の矢印Ｘ９方向からみた切替機構５を示している。
図示のように、障子３が閉じた状態で、切替部材４の移動（操作）により、切替機構５の連結突起４１と係止突起４２が同時に移動して、障子３の開閉方向Ｍ１、Ｍ２が切り替えられる。
【００６５】
障子３の第１開閉方向Ｍ１への開閉時（内倒し時）には、切替部材４を第２切替位置Ｌ２から第１切替位置Ｌ１に移動させて、第１切替位置Ｌ１に配置する（図１８Ａ、図１９Ａ参照）。これにより、障子３の開閉方向が第２開閉方向Ｍ２から第１開閉方向Ｍ１に切り替えられる。その際、連結突起４１は、連結位置Ｎ２から非連結位置Ｎ１に移動して、非連結位置Ｎ１に配置される。これにより、第２ヒンジ機構９における連結突起４１による連結が解除されて、第２ヒンジ機構９による障子３の支持が解除される。また、係止突起４２は、非係止位置Ｑ２から係止位置Ｑ１に移動して、係止位置Ｑ１に配置される。
【００６６】
係止位置Ｑ１において、係止突起４２は、支持体４３により、第１開閉方向Ｍ１に回動可能に係止される（図１８Ａ、図１８Ｂ参照）。これに伴い、障子３の一方の下コーナー部は、第１ヒンジ機構８により第１開閉方向Ｍ１に回動可能に支持され、障子３の他方の下コーナー部は、支持体４３により第１開閉方向Ｍ１に回動可能に支持される。第１ヒンジ機構８と支持体４３により、障子３は、第３框材２３を中心に第１開閉方向Ｍ１に開閉可能（回動可能）に支持される。
【００６７】
障子３の第２開閉方向Ｍ２への開閉時（内開き時）には、切替部材４を第１切替位置Ｌ１から第２切替位置Ｌ２に移動させて、第２切替位置Ｌ２に配置する（図１８Ｃ、図１９Ｂ参照）。これにより、障子３の開閉方向が第１開閉方向Ｍ１から第２開閉方向Ｍ２に切り替えられる。その際、係止突起４２は、係止位置Ｑ１から非係止位置Ｑ２に移動して、非係止位置Ｑ２に配置される。これにより、支持体４３による係止突起４２の係止が解除され、障子３の第２開閉方向Ｍ２への開閉が可能になる。また、連結突起４１は、非連結位置Ｎ１から連結位置Ｎ２に移動して、連結位置Ｎ２に配置される。
【００６８】
連結突起４１が連結位置Ｎ２に移動することで、第２ヒンジ機構９における連結突起４１による連結が行われて、障子３の一方の上コーナー部が第２ヒンジ機構９により第２開閉方向Ｍ２に回動可能に支持される。また、障子３の一方の下コーナー部は、第１ヒンジ機構８により第２開閉方向Ｍ２に回動可能に支持される。第１ヒンジ機構８と第２ヒンジ機構９により、障子３は、第４框材２４を中心に第２開閉方向Ｍ２に開閉可能（回動可能）に支持される。
【００６９】
図２０、図２１は、障子３を開いたときの切替機構５と第２ヒンジ機構９を示す斜視図である。図２０は、障子３の開閉方向が第１開閉方向Ｍ１であるときの切替機構５と第２ヒンジ機構９を示し、図２１は、障子３の開閉方向が第２開閉方向Ｍ２であるときの切替機構５と第２ヒンジ機構９を示している。
図示のように、切替機構５の連結突起４１の位置（非連結位置Ｎ１、連結位置Ｎ２）を変更することで、第２ヒンジ機構９における連結状態が変更される。これにより、第２ヒンジ機構９の動作が変更されて、障子３の開閉方向Ｍ１、Ｍ２が切り替えられる。
【００７０】
第２ヒンジ機構９は、障子３の第１框材２１に取り付けられた取付部材６０と、枠体２の第１枠材１１に固定されたベース部材６１と、取付部材６０とベース部材６１に回動可能に連結された回動部材６２と、複数のリンク部材７１〜７４（第１リンク部材７１、第２リンク部材７２、第３リンク部材７３、第４リンク部材７４）を有する。取付部材６０、ベース部材６１、回動部材６２、及び、複数のリンク部材７１〜７４は、各連結部で回動可能に連結されて、リンク機構を構成する。
【００７１】
回動部材６２の一端部は、第１〜第３リンク部材７１〜７３により、ベース部材６１に回動可能に連結され、回動部材６２の他端部は、取付部材６０に回動可能に連結される。第１リンク部材７１と第３リンク部材７３は、ベース部材６１と回動部材６２に回動可能に連結され、第２リンク部材７２は、ベース部材６１と第３リンク部材７３に回動可能に連結される。第１〜第３リンク部材７１〜７３により、ベース部材６１に対する回動部材６２の回動角度が規制される。第４リンク部材７４は、取付部材６０と回動部材６２に回動可能に連結される。第４リンク部材７４により、回動部材６２に対する取付部材６０の回動角度が規制される。
【００７２】
取付部材６０は、切替機構５の連結突起４１を移動可能に保持する保持長孔６３を有する。連結突起４１は、保持長孔６３内で保持長孔６３の長手方向に移動して、非連結位置Ｎ１と連結位置Ｎ２に配置される。回動部材６２は、連結突起４１を移動可能に係止する係止長孔６４と、係止長孔６４に繋がる通過部６５を有する。通過部６５は、係止長孔６４の長手方向の中間部から室内側に向かって形成されている。連結突起４１は、係止長孔６４内で係止長孔６４の長手方向に移動して、非連結位置Ｎ１と連結位置Ｎ２に配置される。連結位置Ｎ２において、係止長孔６４内の連結突起４１が回動部材６２に係止されて、連結突起４１により、回動部材６２と取付部材６０が連結される。
【００７３】
図２２〜図２４は、障子３の開閉方向が第１開閉方向Ｍ１であるときの切替機構５と第２ヒンジ機構９を示す図である。図２２、図２３は、障子３を閉じたときの切替機構５と第２ヒンジ機構９を示す図であり、図２４は、障子３を開いたときの第２ヒンジ機構９を示す図である。また、図２２、図２４は、図５に対応する切替機構５と第２ヒンジ機構９の平面図であり、図２３は、図３に対応する切替機構５と第２ヒンジ機構９の正面図である。
【００７４】
図示のように、障子３を閉じたときに、第２ヒンジ機構９、連動部５０の第２連動部材５２、及び、連結突起４１は、第１枠材１１と第１框材２１の間に配置される。その状態で、切替部材４の移動に伴い、連結突起４１は、保持長孔６３及び係止長孔６４内で非連結位置Ｎ１と連結位置Ｎ２とに移動して、非連結位置Ｎ１と連結位置Ｎ２に配置される。障子３の第１開閉方向Ｍ１への開閉時（内倒し時）には、切替部材４を第１切替位置Ｌ１に配置して、連結突起４１を非連結位置Ｎ１に配置する。これにより、連結突起４１は、係止長孔６４内で、通過部６５を通過可能な位置に配置される。その結果、連結突起４１が回動部材６２に係止されず、連結突起４１による回動部材６２と取付部材６０の連結が解除される。
【００７５】
操作部材６により障子３を開くと、連結突起４１は、通過部６５を通過して、回動部材６２から外れる（図２４の矢印Ｚ参照）。また、回動部材６２がベース部材６１に対して回動するとともに、取付部材６０が回動部材６２に対して回動する。これにより、第１框材２１が第１枠材１１に平行な状態で、障子３が第１開方向Ｈ１に開く（図１参照）。その際、第２ヒンジ機構９は、回動部材６２の回動角度と取付部材６０の回動角度を規制することで、障子３の開き角度を規制し、所定の開き角度で障子３を保持する。操作部材６により障子３を閉じると、連結突起４１は、通過部６５を通過して、係止長孔６４内の非連結位置Ｎ１に復帰する。
【００７６】
図２５〜図２７は、障子３の開閉方向が第２開閉方向Ｍ２であるときの切替機構５と第２ヒンジ機構９を示す図である。図２５、図２６は、障子３を閉じたときの切替機構５と第２ヒンジ機構９を示す図であり、図２７は、障子３を開いたときの第２ヒンジ機構９を示す図である。また、図２５、図２７は、図５に対応する切替機構５と第２ヒンジ機構９の平面図であり、図２６は、図３に対応する切替機構５と第２ヒンジ機構９の正面図である。
【００７７】
障子３の第２開閉方向Ｍ２への開閉時（内開き時）には、切替部材４を第２切替位置Ｌ２に配置して、連結突起４１を連結位置Ｎ２に配置する。これにより、連結突起４１は、係止長孔６４内で、回動部材６２に係止される位置に配置されて、回動部材６２と取付部材６０を連結する。操作部材６により障子３を開くと、回動部材６２と取付部材６０が一体に回動して、障子３が第２開方向Ｈ２に開く（図２参照）。その際、第２ヒンジ機構９は、回動部材６２の回動角度を規制することで、障子３の開き角度を規制し、所定の開き角度で障子３を保持する。
【００７８】
以上説明した建具１Ａでは、操作部材６とは別の切替部材４により、切替機構５を操作して、障子３の開閉方向Ｍ１、Ｍ２を切り替える。そのため、障子３の開閉方向Ｍ１、Ｍ２を容易に切り替えられるとともに、障子３の開閉方向Ｍ１、Ｍ２を容易に判断することができる。また、全ての開閉方向Ｍ１、Ｍ２において、１つの操作部材６を用いた同じ操作により、障子３を開閉することができる。その結果、障子３の各開閉方向Ｍ１、Ｍ２への開閉操作を容易に行うことができる。
【００７９】
切替部材４と操作部材６を障子３の同じ框材に設けることで、切替部材４と操作部材６の位置を容易に把握することができる。また、切替部材４と操作部材６を続けて操作するときに、切替部材４と操作部材６を円滑に操作することができる。切替機構５とロック機構７を障子３の同じ框材において並置することで、切替機構５とロック機構７の配置スペースが大きくなるのを抑制することができる。
【００８０】
ロック機構７がラッチ装置３０であるため、簡単な構造のロック機構７により、障子３を枠体２に確実にロックすることができる。また、操作部材６により、ロック機構７を容易に操作することもできる。ロック機構７の連動機構３３は、スライド部材３５と変位部材３６の２つの部材により、ラッチ３１を操作部材６に連動させる。そのため、連動機構３３の構造が複雑になるのを抑制しつつ、ラッチ３１を操作部材６に確実に連動させることができる。
【００８１】
ラッチ３１と操作部材６を、互いに異なる框材（第１框材２１、第２框材２２）に設けて、互いに異なる障子３の縁部（第１縁部３Ａ、第２縁部３Ｂ）に配置する。ここでは、第１框材２１は、ラッチ３１が設けられた上框材であり、第２框材２２は、操作部材６が設けられた縦框材である。そのため、第１框材２１よりも低い位置で、操作部材６によりラッチ３１を容易に操作することができる。このように、ラッチ３１が設けられる第１框材２１よりも操作が容易な位置の第２框材２２においてラッチ３１を操作して、障子３の開閉操作を容易に行うことができる。
【００８２】
障子３を開くときには、操作部材６の把持部６Ｂを障子３の開方向Ｈ１、Ｈ２に向かって移動させて、ラッチ３１を非係合位置Ｋ２に移動させる。そのため、ラッチ３１とラッチ受け３２の係合の解除に続けて、操作部材６により障子３を開方向Ｈ１、Ｈ２に円滑に移動させることができる。これに伴い、障子３を開くときの動作が簡単になり、障子３を容易かつ円滑に開くことができる。また、障子３を閉じるだけで、ラッチ３１をラッチ受け３２に係合させて、障子３をロックすることができる。
【００８３】
スライド部材３５と変位部材３６を框体２０の溝（ガイド溝２２Ａ、収容溝２１Ａ）に収容することで、障子３の外観を向上させることができる。ガイド部材３７のガイドにより、変位部材３６を正確に変位させて、ラッチ３１の移動を安定させることができる。
【００８４】
変位部材３６が回動軸３６Ｃを中心に回動する回動部材であるため、ラッチ部３６Ａに設けられたラッチ３１を正確に移動させることができる。ラッチ３１とスライド部材３５の距離を長くしても、変位部材３６の回動変位により、ラッチ３１を確実に移動させることができる。変位部材３６の長さ（ラッチ部３６Ａと接触部３６Ｂの間の距離）を変更することで、ラッチ３１の位置の変更に容易に対応できるとともに、様々な長さの第１框材２１にラッチ３１を設けることができる。
【００８５】
変位部材３６の重心は、回動軸３６Ｃの軸心に一致していてもよく、回動軸３６Ｃの軸心からずれていてもよい。これに対し、変位部材３６の重心は、回動軸３６Ｃよりもラッチ部３６Ａ側に位置していてもよく、回動軸３６Ｃよりも接触部３６Ｂ側に位置していてもよい。変位部材３６の重心が回動軸３６Ｃよりも接触部３６Ｂ側に位置するときには、ラッチ３１と変位部材３６のバランスを調整して、ラッチ３１を非係合位置Ｋ２から係合位置Ｋ１に容易に移動させることができる。また、変位部材３６の接触部３６Ｂが重力により下方に移動するときには、接触部３６Ｂを移動させる重力により、ラッチ３１を係合位置Ｋ１に向かって付勢することができる。このように変位部材３６の重心を利用することで、ラッチ３１を係合位置Ｋ１に簡単に移動（復帰）させることができる。変位部材３６の重心を回動軸３６Ｃと接触部３６Ｂの間に位置させて、ラッチ３１の付勢力を調整する。
【００８６】
付勢手段３４を利用することで、ラッチ３１を係合位置Ｋ１に確実に移動（復帰）させることができる。また、付勢手段３４の付勢により、ラッチ３１をラッチ受け３２に係合した状態に確実に維持することができる。ラッチ３１の移動時には、変位部材３６の重心を利用することで、ラッチ３１の移動を補助することができる。これに対し、ラッチ３１の係合位置Ｋ１への移動に、付勢手段３４と変位部材３６の重心の少なくとも一方を利用するようにしてもよい。即ち、付勢手段３４と変位部材３６の重心を共に利用してもよく、付勢手段３４のみ、又は、変位部材３６の重心のみを利用してもよい。
【００８７】
なお、ロック機構７は、ラッチ装置３０に限定されず、枠体２に障子３をロック可能な他のロック機構であってもよい。また、ラッチ３１は、変位部材３６のラッチ部３６Ａに一体に形成してもよい。これに対し、ラッチ３１は、変位部材３６とは別の部材であってもよい。この場合には、ラッチ３１は、変位部材３６のラッチ部３６Ａに取り付けられて、変位部材３６により保持される。
【００８８】
ここでは、ラッチ３１を上框材に設け、操作部材６と切替部材４を縦框材に設けている。これに対し、障子３の開き方等に対応して、ラッチ３１を縦框材、又は、下框材に設けるようにしてもよい。この場合には、第１框材２１は、縦框材、又は、下框材である。操作部材６と切替部材４は、第１框材２１とは異なる第２框材２２（上框材、下框材、又は、縦框材）に設けられる。建具１Ａの設置条件（例えば、第１框材２１と他の框材２２〜２４の位置）に基づいて、第１框材２１よりも操作が容易な位置の框材が第２框材２２として設定される。第１框材２１と第２框材２２は、端部同士が接続された框材であってもよく、互いに対向する框材であってもよい。
【００８９】
（第２実施形態）
次に、第２実施形態の建具について説明する。以下では、第１実施形態の建具１Ａと同じ事項の説明は省略し、第１実施形態の建具１Ａと相違する事項を説明する。また、第２実施形態の建具に関して、第１実施形態の建具１Ａが備える構成に相当する構成には、第１実施形態の建具１Ａの構成と同じ名称と符号を用いる。
図２８は、第２実施形態の建具１Ｂの構造を示す正面図であり、図３と同様に、室内側からみた建具１Ｂを示している。図２８では、框体２０の一部を二点鎖線で模式的に示し、建具１Ｂの内部構造を示している。
図示のように、第１実施形態の建具１Ａと相違する第２実施形態の建具１Ｂの構成は、切替部材４、切替機構５、及び、開閉機構４０の第２ヒンジ機構９である。その他の構成は、第１実施形態の建具１Ａと第２実施形態の建具１Ｂとで同じである。
【００９０】
障子３の框体２０において、切替部材４と操作部材６は、互いに異なる框材に設けられ、切替機構５とロック機構７は、互いに異なる框材に設けられる。ここでは、切替部材４が第３框材２３に設けられ、操作部材６が第２框材２２に設けられる。切替部材４は、第３框材２３の長手方向にスライドして移動する。また、切替機構５が第３框材２３と第４框材２４に設けられ、ロック機構７が第１框材２１と第２框材２２に設けられる。
【００９１】
図２９、図３０は、切替部材４と切替機構５を示す斜視図である。図２９は、支持体４３に係止突起４２が係止された状態を示し、図３０は、係止突起４２と支持体４３の係止が解除された状態を示す。図３１は、切替機構５の支持体４３側の一部を示す正面図である。図３１Ａは、図２９の矢印Ｙ１方向からみた係止突起４２と支持体４３を示し、図３１Ｂは、図３０の矢印Ｙ２方向からみた係止突起４２と支持体４３を示している。
【００９２】
図示のように、切替機構５は、連動部５０に設けられた連結部材４５と係止突起４２を有する。連動部５０は、第３框材２３と第４框材２４に設けられて、第３框材２３と第４框材２４の長手方向に沿って配置される。連結部材４５は、第２ヒンジ機構９側に位置する連動部５０の一端部５０Ａに設けられる。連動部５０、連結部材４５、及び、係止突起４２は、切替部材４の移動に連動して、一体に移動する。
【００９３】
建具１Ｂの連動部５０では、第１連動部材５１は、第３框材２３の長手方向に沿って配置されて、第３框材２３にスライド可能に設けられる。また、第２連動部材５２は、第４框材２４の長手方向に沿って配置されて、第４框材２４にスライド可能に設けられる。コーナードライブ５３は、障子３の下コーナー部（第３框材２３と第４框材２４のコーナー部）に設けられ、コーナードライブ５３のケース５３Ａは、第３框材２３と第４框材２４に取り付けられる。
【００９４】
係止突起４２は、第１連動部材５１に設けられた円柱状の突出部であり、連結部材４５は、第２連動部材５２に設けられた板状の突片（連結板）である。連結部材４５は、第２連動部材５２の他端部５２Ｂに設けられて、第２連動部材５２から第２ヒンジ機構９に向かって突出する。切替部材４の移動（矢印Ｅ参照）に伴い、第１連動部材５１が第３框材２３の長手方向にスライドして移動し、係止突起４２が第１連動部材５１のスライド方向に移動する（矢印Ｆ１参照）。その際、切替部材４、第１連動部材５１、及び、係止突起４２は、第３框材２３の長手方向に沿って、同じ方向に移動する。同時に、第２連動部材５２が第４框材２４の長手方向にスライドして移動し、連結部材４５が第２連動部材５２のスライド方向に移動する（矢印Ｆ２参照）。
【００９５】
切替部材４を移動させることで、連動部５０により、係止突起４２と連結部材４５が移動する。連結部材４５は、非連結位置Ｎ１（図２９参照）と連結位置Ｎ２（図３０参照）に移動して、非連結位置Ｎ１と連結位置Ｎ２に配置される。同時に、係止突起４２は、係止位置Ｑ１（図２９、図３１Ａ参照）と非係止位置Ｑ２（図３０、図３１Ｂ参照）に移動して、係止位置Ｑ１と非係止位置Ｑ２に配置される。支持体４３は、係止突起４２を収容可能な係止溝４６を有する。係止溝４６は、第３框材２３の長手方向（第１連動部材５１のスライド方向Ｆ１）に沿って形成されて、連動部５０側に向かって開放されている。
【００９６】
係止突起４２が非係止位置Ｑ２から係止位置Ｑ１に移動するときに、係止突起４２は、係止溝４６に挿入されて、係止溝４６内に配置される。支持体４３は、係止突起４２を係止溝４６内に係止して、係止突起４２及び連動部５０の他端部５０Ｂ（第１連動部材５１の他端部５１Ｂ）を保持する。係止突起４２が係止位置Ｑ１から非係止位置Ｑ２に移動するときに、係止突起４２が係止溝４６から引き出されて、係止突起４２の係止（保持）が解除される。障子３が閉じた状態で、切替部材４の移動（操作）により、切替機構５の連結部材４５と係止突起４２が同時に移動して、障子３の開閉方向Ｍ１、Ｍ２が切り替えられる。
【００９７】
障子３の第１開閉方向Ｍ１への開閉時（内倒し時）には、切替部材４を第２切替位置Ｌ２から第１切替位置Ｌ１に移動させて、第１切替位置Ｌ１に配置する（図２９参照）。同時に、連結部材４５は、連結位置Ｎ２から非連結位置Ｎ１に移動して、非連結位置Ｎ１に配置される。これにより、第２ヒンジ機構９における連結部材４５による連結が解除されて、第２ヒンジ機構９による障子３の支持が解除される。また、係止突起４２は、非係止位置Ｑ２から係止位置Ｑ１に移動して、係止位置Ｑ１に配置される。係止位置Ｑ１において、係止突起４２は、支持体４３により、第１開閉方向Ｍ１に回動可能に係止される。
【００９８】
障子３の第２開閉方向Ｍ２への開閉時（内開き時）には、切替部材４を第１切替位置Ｌ１から第２切替位置Ｌ２に移動させて、第２切替位置Ｌ２に配置する（図３０参照）。同時に、係止突起４２は、係止位置Ｑ１から非係止位置Ｑ２に移動して、非係止位置Ｑ２に配置される。これにより、支持体４３による係止突起４２の係止が解除され、障子３の第２開閉方向Ｍ２への開閉が可能になる。また、連結部材４５は、非連結位置Ｎ１から連結位置Ｎ２に移動して、連結位置Ｎ２に配置される。連結部材４５が連結位置Ｎ２に移動することで、第２ヒンジ機構９における連結部材４５による連結が行われて、障子３の一方の上コーナー部が第２ヒンジ機構９により第２開閉方向Ｍ２に回動可能に支持される。
【００９９】
図３２、図３３は、障子３の開閉方向が第１開閉方向Ｍ１であるときの切替機構５と第２ヒンジ機構９を示す図であり、図３４、図３５は、障子３の開閉方向が第２開閉方向Ｍ２であるときの切替機構５と第２ヒンジ機構９を示す図である。また、図３２Ａは、図２９の矢印Ｙ３方向からみた側面図であり、図３４Ａは、図３０の矢印Ｙ４方向からみた側面図である。図３２Ｂ、図３４Ｂは、障子３が閉じたときの斜視図であり、図３３、図３５は、障子３が開いたときの斜視図である。図３２〜図３５では、障子３を二点鎖線で模式的に示している。
【０１００】
図示のように、建具１Ｂでは、第２ヒンジ機構９は、第２リンク部材７２を有していない。回動部材６２の一端部は、２つのリンク部材（第１リンク部材７１、第３リンク部材７３）により、ベース部材６１に回動可能に連結されている。また、取付部材６０は、保持長孔６３を有しておらず、回動部材６２は、係止長孔６４と通過部６５を有していない。切替機構５の連結部材４５は、第２ヒンジ機構９に向かって開放された係止凹部４７を有し、第２ヒンジ機構９の回動部材６２は、連結部材４５に向かって突出する係止片６６を有する。係止片６６は、回動部材６２の一部を折り曲げた折曲部であり、連結部材４５側に位置する回動部材６２の端部に形成されている。
【０１０１】
障子３を閉じたときに、第２ヒンジ機構９は、第１枠材１１と第１框材２１の間に配置される。その状態で、切替部材４の移動に伴い、連結部材４５は、非連結位置Ｎ１と連結位置Ｎ２とに移動して、非連結位置Ｎ１と連結位置Ｎ２に配置される。連結部材４５が非連結位置Ｎ１から連結位置Ｎ２に移動するときに、連結部材４５の係止凹部４７が回動部材６２の係止片６６に向かって移動して、係止片６６が係止凹部４７内に挿入される。連結部材４５が連結位置Ｎ２に配置されたときに（図３４、図３５参照）、係止片６６が係止凹部４７内に配置されて、係止片６６及び回動部材６２が連結部材４５に係止される。回動部材６２は、連結部材４５により、障子３に連結される。連結部材４５が回動部材６２の係止片６６のみを係止するため、切替部材４により連結部材４５を移動させるときの抵抗が低減して、切替部材４及び連結部材４５が容易に移動する。
【０１０２】
連結部材４５が連結位置Ｎ２から非連結位置Ｎ１に移動するときに、連結部材４５の係止凹部４７が回動部材６２の係止片６６から離間する。連結部材４５が非連結位置Ｎ１に配置されたときに（図３２、図３３参照）、係止片６６が係止凹部４７外に配置されて、連結部材４５による係止片６６及び回動部材６２の係止が解除される。同時に、連結部材４５による回動部材６２の障子３への連結が解除される。係止凹部４７と係止片６６は、第４框材２４の長手方向に離間した状態で、互いに対向して配置される。
【０１０３】
障子３の第１開閉方向Ｍ１への開閉時（内倒し時）には（図３２、図３３参照）、切替部材４を第１切替位置Ｌ１に配置して、連結部材４５を非連結位置Ｎ１に配置する。これにより、回動部材６２の障子３への連結が解除される。操作部材６により障子３を開くと、回動部材６２がベース部材６１に対して回動するとともに、取付部材６０が回動部材６２に対して回動する。これにより、障子３が第１開方向Ｈ１に開く（図１参照）。
【０１０４】
障子３の第２開閉方向Ｍ２への開閉時（内開き時）には（図３４、図３５参照）、切替部材４を第２切替位置Ｌ２に配置して、連結部材４５を連結位置Ｎ２に配置する。これにより、回動部材６２が障子３に連結される。操作部材６により障子３を開くと、回動部材６２と取付部材６０が障子３と一体に回動して、障子３が第２開方向Ｈ２に開く（図２参照）。
【０１０５】
以上説明した建具１Ｂでは、切替機構５とロック機構７は、障子３の框体２０において互いに異なる框材に設けられる。そのため、切替機構５とロック機構７を框体２０に容易に配置することができる。また、切替機構５とロック機構７の各形状、及び、切替機構５とロック機構７の配置構造を単純にすることができる。
【０１０６】
以上、本発明をドレーキップ窓に適用した例について説明したが、本発明をドレーキップ窓以外の窓に適用してもよい。本発明は、障子３の開閉方向が切り替え可能な種々の建具（窓、ドア等）に適用することができる。また、障子３の開閉方向Ｍ１、Ｍ２を表す記号（文字、符号、絵、絵文字等）を切替部材４の切替位置Ｌ１、Ｌ２に設けてもよく、切替部材４の移動により、障子３の開閉方向Ｍ１、Ｍ２を表す記号が変化するようにしてもよい。このようにすることで、障子３の開閉方向Ｍ１、Ｍ２を、より容易に判断することができる。
【符号の説明】
【０１０７】
１Ａ・・・建具、１Ｂ・・・建具、２・・・枠体、３・・・障子、４・・・切替部材、５・・・切替機構、６・・・操作部材、７・・・ロック機構、８・・・第１ヒンジ機構、９・・・第２ヒンジ機構、１０・・・開口部、１１・・・第１枠材、１２・・・第２枠材、１３・・・第３枠材、１４・・・第４枠材、２０・・・框体、２１・・・第１框材、２２・・・第２框材、２３・・・第３框材、２４・・・第４框材、２５・・・パネル体、２６・・・開口部、２７・・・支持部材、３０・・・ラッチ装置、３１・・・ラッチ、３２・・・ラッチ受け、３３・・・連動機構、３４・・・付勢手段、３５・・・スライド部材、３６・・・変位部材、３７・・・ガイド部材、３８・・・隙間、４０・・・開閉機構、４１・・・連結突起、４２・・・係止突起、４３・・・支持体、４４・・・係止孔、４５・・・連結部材、４６・・・係止溝、４７・・・係止凹部、５０・・・連動部、５１・・・第１連動部材、５２・・・第２連動部材、５３・・・コーナードライブ、６０・・・取付部材、６１・・・ベース部材、６２・・・回動部材、６３・・・保持長孔、６４・・・係止長孔、６５・・・通過部、６６・・・係止片、７１・・・第１リンク部材、７２・・・第２リンク部材、７３・・・第３リンク部材、７４・・・第４リンク部材。
【図１】
2020100957.tif 000003
【図２】
2020100957.tif 000004
【図３】
2020100957.tif 000005
【図４】
2020100957.tif 000006
【図５】
2020100957.tif 000007
【図６】
2020100957.tif 000008
【図７】
2020100957.tif 000009
【図８】
2020100957.tif 000010
【図９】
2020100957.tif 000011
【図１０】
2020100957.tif 000012
【図１１】
2020100957.tif 000013
【図１２】
2020100957.tif 000014
【図１３】
2020100957.tif 000015
【図１４】
2020100957.tif 000016
【図１５】
2020100957.tif 000017
【図１６】
2020100957.tif 000018
【図１７】
2020100957.tif 000019
【図１８】
2020100957.tif 000020
【図１９】
2020100957.tif 000021
【図２０】
2020100957.tif 000022
【図２１】
2020100957.tif 000023
【図２２】
2020100957.tif 000024
【図２３】
2020100957.tif 000025
【図２４】
2020100957.tif 000026
【図２５】
2020100957.tif 000027
【図２６】
2020100957.tif 000028
【図２７】
2020100957.tif 000029
【図２８】
2020100957.tif 000030
【図２９】
2020100957.tif 000031
【図３０】
2020100957.tif 000032
【図３１】
2020100957.tif 000033
【図３２】
2020100957.tif 000034
【図３３】
2020100957.tif 000035
【図３４】
2020100957.tif 000036
【図３５】
2020100957.tif 000037